(57)【要約】  中空糸膜モジュールは、処理水出口５及び上部排出口８を有する容器１と、原水を固液分離するための中空糸膜２であって、容器１内に上下方向に配置された複数の中空糸膜２と、中空糸膜２の上端部を固定しており、容器１内の上部に配置された上端固定部３と、上端固定部３の上側に形成され、各中空糸膜２の内部が連通した透過水室７と、容器１内に原水を供給する配管Ｌ１と、バブリング洗浄を行うための中心管４とを有する。中心管４は、上端固定部３の下側に上下方向に延在し、側周面に気体を噴出する複数の噴出孔４ａが設けられている。
2020194820.tif 000002
【特許請求の範囲】
【請求項１】
上部に処理水出口を有する容器と、
該容器の下部に原水を供給する原水供給手段と、
原水を固液分離するための中空糸膜であって、該容器内に上下方向に配置された複数の中空糸膜と、
該中空糸膜の上端部を固定しており、該容器内の上部に配置された上端固定部と、
該上端固定部の上側に形成され、各中空糸膜の内部が連通した透過水室と、
前記上端固定部の下側に上下方向に延在し、側周面に気体を噴出する複数の噴出孔が設けられている中心管と、
前記容器から気体及び洗浄排水を排出する排出手段と
を有する中空糸膜モジュール。
【請求項２】
請求項１において、前記中心管の下端は前記容器の底面の開口に臨んでいることを特徴とする中空糸膜モジュール。
【請求項３】
請求項１又は２において、前記容器の下部に気体を供給する手段が設けられていることを特徴とする中空糸膜モジュール。
【請求項４】
請求項１〜３のいずれかの中空糸膜モジュールを洗浄する方法であって、
前記中心管の複数の噴出孔から気体を吹き込む第1バブリング洗浄を行い、排気体及び洗浄排水を前記排出手段から排出することを特徴とする中空糸膜モジュールの洗浄方法。
【請求項５】
請求項３の中空糸膜モジュールを洗浄する方法であって、
前記中心管の複数の噴出孔から気体を吹き込む第１バブリング洗浄および前記容器の下部に設けた気体供給手段から気体を吹き込む第２バブリング洗浄の少なくとも一方のバブリング洗浄を行い、
排気体及び洗浄排水を前記排出手段から排出することを特徴とする中空糸膜モジュールの洗浄方法。
【請求項６】
請求項５において、前記第1バブリング洗浄の前又は後に、前記第２バブリング洗浄を行い、その洗浄排水を容器から排出することを特徴とする中空糸膜モジュールの洗浄方法。
【請求項７】
請求項４乃至６のいずれか１項において、前記第1バブリング洗浄及び／又は第２バブリング洗浄と同時に、前記処理水出口から逆洗水を供給する逆洗浄を行うことを特徴とする中空糸膜モジュールの洗浄方法。
【請求項８】
請求項７において、前記逆洗水に薬液を添加することを特徴とする中空糸膜モジュールの洗浄方法。
【請求項９】
請求項４乃至８のいずれかにおいて、前記中心管を通る気体の流量が５０〜３００ＮＬ／ｍｉｎであることを特徴とする中空糸膜モジュールの洗浄方法。
【発明の詳細な説明】
【技術分野】
【０００１】
本発明は中空糸膜モジュール及びその洗浄方法に関し、特に、膜に付着した濁質を十分に洗浄除去することができる中空糸膜モジュール及びその洗浄方法に関する。
【背景技術】
【０００２】
中空糸膜モジュールは、濁質成分や有機物を除去する手段として、純水製造や排水回収分野などで広く用いられている。中空糸膜モジュールの膜には、精密濾過膜（ＭＦ膜）や限界濾過膜（ＵＦ膜）などが分離対象に応じて使い分けられており、前者は０．１μｍ前後、後者は０．００５〜０．５μｍの細孔が一般的である。【０００３】
中空糸膜モジュールに供給する懸濁水中に濁質や有機物が大量に含まれている場合、膜の目詰まりが発生し、逆洗頻度、薬品洗浄頻度が高くなるだけでなく、膜交換頻度も高くなる。膜の目詰まりを防止するために、膜の単位面積当たりの通水量を低下させる方法が一般的であるが、この方法では膜設置本数が多くなるという課題があった。【０００４】
特許文献１には、膜の濁質除去性を向上させるため、空気と水を使った逆洗方法が提案されている。しかし、この方法は、濁質の種類、量によっては、濁質除去性があまり向上しない場合があり、より高性能な逆洗方法が求められている。【０００５】
一般的な空気洗浄では、膜モジュール下部から上部へ空気を流すが、空気の強さに上下で差が生まれるために、膜モジュール全体に空気が行き届かず、洗浄不足の箇所が生じる。また、空気洗浄時に下部排水すると、空気が膜モジュール内部に浸透せずに排出されてしまうため、モジュール上部、例えば循環部からしか排水できない。そのため、空気洗浄で剥がれた膜モジュール全体の濁質が膜の上部に付着してしまうことがあった。【０００６】
特許文献２には、処理水出口及び濃縮水出口を有する容器と、該容器内に原水を供給する中心管と、原水を透過水と濃縮水とに分離するための中空糸膜であって、該容器内に上下方向に配置された複数の中空糸膜と、該中空糸膜の上端部を固定しており、該容器内の上部に配置された上端固定部と、該上端固定部の上側に形成され、各中空糸膜の内部が連通した透過水室と、を備え、前記中心管は、前記上端固定部の下側に上下方向に延在し、側周面に原水を噴出する複数の噴出孔が設けられており、前記容器の下部には、前記複数の噴出孔から気体を吹き込むバブリング洗浄を行う際の洗浄排水を排出する排水口が設けられている中空糸膜モジュールの洗浄方法であって、前記複数の噴出孔から気体を吹き込むバブリング洗浄を行い、洗浄排水を前記排水口から排出する中空糸膜モジュールの洗浄方法が記載されている。【０００７】
特許文献２では、原水および気体を導入する手段を備えた中心管をモジュールの中心に設置し、中心管から空気をモジュール内に吹き込むことで、モジュール上下に生じる洗浄空気の強度差を緩和している。特許文献２では、原水を中心管から送水しているため、中心管に近い中央側の膜に対し、ハウジングに近い外周側の膜よりも、高い原水圧が作用し、中央側の膜の濾過量が外周側の膜よりも多くなる。このため、モジュール内の膜の汚染にムラが生じる。換言すると、モジュール中央側の中空糸膜に高い負荷がかかり、膜汚染や、膜汚染の進行による有効膜面積の低下が生じやすい。
【先行技術文献】
【特許文献】
【０００８】
【特許文献１】特開２００５−８８００８号公報
【特許文献２】特開２０１７−１７６９６６号公報
【発明の概要】
【発明が解決しようとする課題】
【０００９】
本発明は、上記従来の実情に鑑みてなされたものであり、中空糸膜に付着した濁質を万遍なく十分に除去できる中空糸膜モジュール及びその洗浄方法を提供することを目的とする。
【課題を解決するための手段】
【００１０】
本発明の中空糸膜モジュールは、上部に処理水出口を有する容器と、該容器の下部に原水を供給する原水供給手段と、原水を固液分離するための中空糸膜であって、該容器内に上下方向に配置された複数の中空糸膜と、該中空糸膜の上端部を固定しており、該容器内の上部に配置された上端固定部と、該上端固定部の上側に形成され、各中空糸膜の内部が連通した透過水室と、前記上端固定部の下側に上下方向に延在し、側周面に気体を噴出する複数の噴出孔が設けられている中心管と、前記容器から気体及び洗浄排水を排出する排出手段とを有する。【００１１】
本発明の一態様では、前記中心管の下端は前記容器の底面の開口に臨んでいる。【００１２】
本発明の一態様では、前記容器の下部に気体を供給する手段が設けられている。【００１３】
本発明の中空糸膜モジュールの洗浄方法では、前記中心管の複数の噴出孔から気体を吹き込む第１バブリング洗浄を行い、排気体及び洗浄排水を前記排出手段から排出する。【００１４】
本発明の一態様では、前記中心管の複数の噴出孔から気体を吹き込む第１バブリング洗浄および前記容器の下部に設けた気体供給手段から気体を吹き込む第２バブリング洗浄の少なくとも一方のバブリング洗浄を行い、排気体及び洗浄排水を前記排出手段から排出する。【００１５】
本発明の一態様では、前記第1バブリング洗浄の前又は後に、前記第２バブリング洗浄を行い、その洗浄排水を容器から排出する。【００１６】
本発明の一態様では、前記第1バブリング洗浄及び／又は第２バブリング洗浄と同時に、前記処理水出口から逆洗水を供給する逆洗浄を行う。【００１７】
本発明の一態様では、前記逆洗水に薬液を添加する。【００１８】
本発明の一態様では、前記中心管を通る気体の流量が５０〜３００ＮＬ／ｍｉｎである。
【発明の効果】
【００１９】
本発明の中空糸膜モジュールでは、中心管が容器内に上下方向に延在し、中心管に設けられた複数の噴出孔から気体を吹き込んでバブリング洗浄を行うようになっているため、膜モジュール全体に空気が行き届き、中空糸膜に付着した濁質を万遍なく十分に除去できる。【００２０】
また、原水をモジュールの下部から導入することにより、濾過工程における偏流を低減し、膜を均一に使用することができるため、局所的な膜汚染の進行や、それによる膜面積の低下が防止（抑制を含む）される。【００２１】
小孔を有する分散板を設置し、原水を分散させることにより、原水の偏流がさらに低減される。
【図面の簡単な説明】
【００２２】
【図１】実施の形態に係る中空糸膜モジュールの断面図である。
【図２】別の実施の形態に係る中空糸膜モジュールの断面図である。
【図３】別の実施の形態に係る中空糸膜モジュールの断面図である。
【図４】従来例の中空糸膜モジュールの断面図である。
【図５】実施例７及び比較例３の結果を示すグラフである。
【発明を実施するための形態】
【００２３】
以下、図１〜図３を参照して実施の形態について説明する。
【００２４】
図１は、本実施形態に係る中空糸膜モジュールの構成を示す断面図である。図１に示すように、中空糸膜モジュールは、円筒の軸心線方向を上下方向（この実施形態では鉛直方向）にして配置された容器１を備えている。この容器１内に、複数の中空糸膜２が配置されている。
【００２５】
中空糸膜２は、容器１の上部側において、固定部としての合成樹脂製ポッティング部３で固定され、容器１の下部側では固定されていない。ポッティング部３の合成樹脂としては例えばエポキシ樹脂を用いることができる。
【００２６】
例えば、中空糸膜２をＵ字型に組み込み、中空糸膜の両端をポッティング部３で固定する。この場合、中空糸膜２の中間部が容器１の下部に位置する。
【００２７】
また、一端が開口し、他端が封止された中空糸膜２を用いる場合は、開口している中空糸膜２の一端側をポッティング部３で固定し、封止された他端側を容器１の下部に配置する。
【００２８】
中空糸膜２は、ＵＦ膜やＭＦ膜などのいずれでもよい。中空糸膜２は特に制限はないが、通常、内径０．２〜１．０ｍｍ、外径０．５〜２．０ｍｍ、有効長さ３００〜２５００ｍｍ程度のものが用いられる。このような中空糸膜２が容器１内に５００〜７０，０００本装填された全膜面積５〜１００ｍ２程度のものが適当である。中空糸膜２の膜素材についても特に制限はないが、ＰＶＤＦ（ポリフッ化ビニリデン）、ポリエチレン、ポリプロピレン等を用いることができる。
【００２９】
ポッティング部３の上側と下側にはそれぞれ処理水室（透過水室）７と原水室１０とが区画形成されている。中空糸膜２の上端側はポッティング部３を貫通しており、その上端の開口は処理水室７に臨み、中空糸膜２の内部は処理水室７に連通している。中空糸膜２をＵ字型に組み込む場合は、中空糸膜２の両端がポッティング部３を貫通する。
【００３０】
ポッティング部３は例えば円盤状であり、その外周面又は外周縁部が容器１の内面に水密的に接している。
【００３１】
容器１の内部（原水室１０）には、中心管４が略鉛直方向（容器１の軸方向）に延びている。中心管４は、例えば容器１の中心軸に沿って配置されている。中心管４は先端（上端）が閉じた円管であり、側周面には上下にわたって、かつ周方向に、間隔を空けて複数の噴出孔４ａが全体的に設けられている。噴出孔４ａの数は特に限定されないが、例えば５〜５０個程度である。噴出孔４ａの大きさや形状は特に限定されないが、例えば口径５〜５００ｍｍの円形である。中心管４の内径は例えば１０〜２０ｍｍ程度である。
【００３２】
中心管４の高さ（上下方向の長さ）は特に限定されないが、中心管４の上端がポッティング部３の下面近傍に位置していることが好ましい。なお、中心管４の上端がポッティング部３に埋設されていてもよい。
【００３３】
中心管４の下端は、容器１の底面の開口１１に臨んでいる。開口１１には原水配管Ｌ１が接続され、原水配管Ｌ１にはポンプＰ１及びバルブＶ１が設けられている。原水配管Ｌ１のバルブＶ１よりも容器１側からは空気導入用配管Ｌ２が分岐しており、空気導入用配管Ｌ２にはバルブＶ２が設けられている。
【００３４】
配管Ｌ１のバルブＶ１よりも容器１側に洗浄排水排出用の配管Ｌ７が接続されており、該配管Ｌ７にバルブＶ７が設けられている。
【００３５】
バルブＶ１とバルブＶ２の開閉を切り替えることで、容器１への原水／空気の供給を切り替えることができる。バルブＶ１を開、バルブＶ２，Ｖ７を閉とし、ポンプＰ１により原水配管Ｌ１を介して原水を送り出すことで、原水室１０の下部から原水を供給することができる。
【００３６】
バルブＶ１，Ｖ７を閉、バルブＶ２を開とし、空気導入用配管Ｌ２から空気を供給することで、開口１１から気泡を供給し、中心糸膜２をバブリング洗浄することができる。バルブＶ１及びＶ２を開とし、開口１１から気液混合流を噴出させることもできる。
【００３７】
中心管４の下部に空気配管Ｌ８が接続され、配管Ｌ８にバルブＶ８が設けられている。配管Ｌ８から空気を供給することにより、中心管４の噴出孔４ａから放射方向に気泡を噴出させ、中空糸膜２のバブリング洗浄を行うことができる。
【００３８】
容器１の頂部には処理水（膜透過水）の出口５が設けられている。また、容器１の側面の上部には上部排出口８が設けられている。上部排出口８はポッティング部３の下面近傍に設けられている。ポッティング部３から上部排出口８の上縁までの距離は０〜３０ｍｍ、特に０〜１０ｍｍ程度が好ましい。上部排出口８には配管Ｌ５が接続され、配管Ｌ５にはバルブＶ５が設けられている。
【００３９】
処理水出口５には処理水取出配管Ｌ３が接続されており、処理水取出配管Ｌ３を介して処理水（膜透過水）が取り出される。処理水は処理水タンク９に貯留される。
【００４０】
処理水取出配管Ｌ３には、処理水取出配管Ｌ３に設けられたバルブＶ３と処理水出口５との間の位置に逆洗水配管Ｌ４の一端が接続されている。逆洗水配管Ｌ４の他端は処理水タンク９に接続されている。逆洗水配管Ｌ４にはバルブＶ４及びポンプＰ２が設けられている。バルブＶ３を閉、バルブＶ４を開とし、ポンプＰ２により逆洗水配管Ｌ４を介して処理水出口５から原水室１０に処理水を流すことで、中空糸膜２の逆洗を行うことができる。図１は、逆洗水配管Ｌ４を処理水タンク９に接続し、逆洗水に処理水を用いる構成を示しているが、逆洗水は原水であってもよい。
【００４１】
逆洗に伴う排水は、開口１１から配管Ｌ７を介して排出してもよいし、上部排出口８から配管Ｌ５を介して排出してもよい。開口１１からの排出と上部排出口８からの排出とを同時に行ってもよく、順番に（交互に）行ってもよい。配管Ｌ７からの逆洗水の排出と、上部排出口８からの逆洗水の排出とを同時に又は交互に行うことで、中空糸膜２から剥がれた濁質を効率良く排出できる。
【００４２】
逆洗水配管Ｌ４を流れる逆洗水に薬液を添加する薬液添加手段（図示略）が設けられていてもよい。添加する薬液は、次亜塩素酸ナトリウム、強アルカリ性剤、強酸性剤等であり、膜付着物に応じて選択される。例えば、膜付着物が有機物又は有機物を含む濁質等の場合、次亜塩素酸ナトリウムが０．０５〜０．３ｍｇＣｌ２／Ｌ残留するように添加することが好ましい。
【００４３】
この中空糸膜モジュールによる濾過処理では、バルブＶ１、Ｖ３を開、バルブＶ２、Ｖ４、Ｖ５、Ｖ７、Ｖ８を閉とし、ポンプＰ１を作動させ、開口１１から原水室１０に原水を供給する。この実施の形態は、デッドエンドフローであり、中空糸膜２を透過した透過水が処理水として処理水出口５から取り出され、処理水取出配管Ｌ３を介して処理水タンク９に貯留される。
【００４４】
ただし、中空糸膜２の外側に原水をクロスフロー方式で通水する外圧式で濾過処理してもよい。この場合、中空糸膜２を透過しなかった濃縮水は、上部排出口８から配管Ｌ５を介して排出される。排出された濃縮水を原水と混合して容器１に供給するように循環させてもよい。
【００４５】
この濾過処理を継続して行うと、中空糸膜２に濁質が蓄積してくる。そこで、濾過処理を所定時間行った後、又は処理水量が減少してきた場合、中空糸膜２に捕捉された濁質を洗浄する洗浄処理を行う。
【００４６】
この中空糸膜モジュールを洗浄する方法の第１形態においては、バルブＶ８を開、Ｖ１，Ｖ２を閉とし、中心管４の複数の噴出孔４ａから中空糸膜２に向って空気を吹き込む第1バブリング洗浄を行う。
【００４７】
この際、バルブＶ５，Ｖ７の一方又は双方を開とし、排気体及び洗浄排水を排出する。バルブＶ５，Ｖ７を交互に開としてもよい。
【００４８】
この中空糸膜モジュールを洗浄する方法の第２形態においては、バルブＶ８を開、Ｖ１，Ｖ２を閉とし、中心管４の複数の噴出孔４ａから中空糸膜２に向って空気を吹き込む第１バブリング洗浄およびバルブＶ２を開、バルブＶ１，Ｖ８を閉とし、開口１１から中空糸膜２に向って空気を吹き込む第２バブリング洗浄の少なくとも一方のバブリング洗浄を行う。この際、バルブＶ５，Ｖ７の一方又は双方を開とし、排気体及び洗浄排水を排出する。バルブＶ５，Ｖ７を交互に開としてもよい。
【００４９】
この第２形態の一態様においては、前記第1バブリング洗浄の前又は後に、前記第２バブリング洗浄を行い、その洗浄排水を容器から排出する。
【００５０】
第１形態及び第２形態のいずれの洗浄方法においても、前記第1バブリング洗浄及び／又は第２バブリング洗浄と同時に、前記処理水出口５から逆洗水を処理水室７に供給する逆洗浄を行うようにしてもよい。
【００５１】
このようにバブリング洗浄と逆洗浄とを同時に行うには、具体的には、例えば、バルブＶ１、Ｖ３、Ｖ７を閉、バルブＶ２、Ｖ４、Ｖ５、Ｖ８を開とし、開口１１及び中心管４から空気を容器１に吹き込みバブリングを行うと共に、ポンプＰ２を作動させ、処理水室７を介して逆洗水として処理水を中空糸膜２内に送り込み、逆洗浄を行う。逆洗水には薬液が添加されていてもよい。洗浄排水及び排空気は、上部排出口８から配管Ｌ５を介して系外に排出される。バブリング後であれば、洗浄排水はバルブＶ７を開として配管Ｌ７から排出されてもよい。
【００５２】
第１形態及び第２形態のいずれにおいても、中心管４から供給する空気量は３０〜５００ＮＬ／ｍｉｎ程度、特に５０〜３００ＮＬ／ｍｉｎであることが好ましい。
【００５３】
中心管４には上下方向の全体にわたって多数の噴出孔４ａが設けられているため、中空糸膜２の上端固定部近傍（ポッティング部３近傍）も含め中空糸膜２の全体に気泡を噴射し、濁質を万遍なく十分に洗浄し、除去することができる。また、バブリング洗浄の際の空気量を多くしても、モジュール下部のみから上部へ空気を流す方式と比較して、中空糸膜２のヨレや折れを防止できる。
【００５４】
逆洗浄は、水逆洗でなく、空気逆洗でもよい。バブリング洗浄では、中心管４のみから空気を噴出させてもよい。また、中心管４から空気ではなく気液混合流を供給してもよい。
【００５５】
本発明では、図２のように、容器１の下部に、多数の小孔１２ａを有した分散板１２を設け、開口１１からの原水を容器１内に分散させるようにしてもよい。図２では、分散板１２は中空糸膜２の下端よりも下位に設けられている。
【００５６】
本発明では、この分散板１２をポッティング材にて構成し、図３の通り、中空糸膜２の下端を分散板１２に埋設してもよい。図３では、小孔１２ａが部分的にのみ図示されているが、実際には、分散板１２の全面にわたって設けられている。
【００５７】
上記実施の形態は本発明の一例であり、本発明は図示以外の形態とされてもよい。
【実施例】
【００５８】
［実施例１］
図３に示す中空糸膜モジュールを備えた中空糸膜モジュールに、配管Ｌ１を介して原水を３０分間通水して濾過処理を行った。原水槽に水道水を貯水してベントナイトを１０ｍｇ／Ｌ、及びキシダ化学製炭酸水素ナトリウムを添加した後、キシダ化学製硫酸によりｐＨを８．０に調整した。原水槽からポンプで凝集槽に送水し、滞留時間を１０分とした。凝集槽前に工業用塩化第二鉄（濃度３８％）を１００ｍｇ／Ｌ添加したものを原水として使用した。中空糸膜モジュールの構成は次の通りである。【００５９】
容器１：内径２００ｍｍ、高さ１５００ｍｍ
中空糸：外径１．４ｍｍのポリフッ化ビニルデン製ＵＦ膜、膜面積３２ｍ２
中心管４：容器１内に延在する長さ１３００ｍｍ、内径１３ｍｍ、外径１８ｍｍ
噴出孔４ａ：口径１０ｍｍ、４８個
分散板１２の小孔１２ａ：直径８ｍｍ、４４個【００６０】
濾過処理後、中心管４から空気を供給してバブリング洗浄を行うと共に逆洗浄を行った。洗浄処理は１分間行った。逆洗水は上部排出口８から排出した。バブリング用空気の供給量は８０ＮＬ／ｍｉｎとした。逆洗浄の給水量を８０Ｌ／ｍｉｎとし、逆洗浄の給水としては濾過処理水を用いた。【００６１】
濾過処理及び洗浄処理を交互にそれぞれ５回行った。サイクル毎に排出される逆洗水を採取し、逆洗水中の濁質量を計測した。５サイクルの中で供給した全濁質量に対する逆洗で排出された濁質量（濁質除去率）を表１に示す。【００６２】
［実施例２］
逆洗水を開口１１を介して配管Ｌ７から排出したこと以外は実施例１と同様の処理を行った。測定結果を表１に示す。【００６３】
［実施例３］
中心管４から空気を供給する前に、３０秒間の逆洗を行い、その逆洗水を上部排出口８から排水する工程を追加したこと以外は実施例２と同様の処理を行った。測定結果を表１に示す。【００６４】
［実施例４］
バブリング用空気の供給量を１５０ＮＬ／ｍｉｎとしたこと以外は実施例３と同様の処理を行った。測定結果を表１に示す。【００６５】
［実施例５］
逆洗水に次亜塩素酸ナトリウムを３００ｍｇＣｌ２／Ｌとなるように添加したこと以外は実施例４と同様の処理を行った。測定結果を表１に示す。【００６６】
［実施例６］
中心管４から空気を供給する前に、容器１の下部開口１１から空気を１５０ＮＬ／ｍｉｎで３０秒間供給するバブリング洗浄を行い、その排水及び排空気を上部排出口８から排出する工程を追加したこと以外は実施例４と同様の処理を行った。測定結果を表１に示す。【００６７】
［比較例１］
中心管４が設けられていない中空糸膜モジュールを使用し、中心管４を使用したバグリング洗浄を省略したこと以外は実施例１と同様の処理を行った。測定結果を表１に示す。【００６８】
［比較例２］
中心管４が設けられていない中空糸膜モジュールを使用し、中心管４を使用した空気洗浄を省略し、代わりに逆洗浄の際に中空糸膜モジュールの容器下部開口１１からバグリング用空気を８０ＮＬ／ｍｉｎ供給し、逆洗水及び排空気を上部排出口８から排出したこと以外は比較例１と同様の処理を行った。測定結果を表１に示す。【００６９】
【表１】
2020194820.tif 000003
【００７０】
表１の通り、実施例１は、逆洗浄のみの洗浄（比較例１）および容器下部からバブリング空気を送気する洗浄（比較例２）に比べ、洗浄による濁質排除率が高かった。【００７１】
実施例２では、洗浄排水を容器下部の排水口から排水することで、洗浄排水を上部排水口から排出する洗浄（実施例１）よりも高い濁質排除率を得た。【００７２】
実施例３では、実施例２の洗浄の前に逆洗浄を追加することで、実施例２よりも高い濁質排除率を得た。【００７３】
実施例４では、バブリング空気の量を８０ＮＬ／ｍｉｎから１５０ＮＬ／ｍｉｎに増量することで、実施例３よりも高い濁質排除率を得た。【００７４】
実施例５では、逆洗水に酸化剤を添加することで無添加条件（実施例４）よりも高い濁質排除率を得た。【００７５】
実施例６では、実施例４の洗浄の前に容器下部からバブリング空気を供給する空気洗浄を導入することで、実施例４よりも高い濁質排除率を得た。【００７６】
［実施例７］
実施例１で使用した中空糸膜モジュールに井戸水を通水し、膜間差圧の経時変化を測定した。結果を図５に示す。【００７７】
［比較例３］
図４に示す中空糸膜モジュールを用い、実施例７と同様の試験を行った。結果を図５に示す。【００７８】
なお、図４では、開口１１及び排水用配管Ｌ７が省略され、その代りに容器１の側面の下部に排水口６が設けられている。排水口６は、容器１の底面近傍に設けられている。排水口６には配管Ｌ６が接続され、配管Ｌ６にはバルブＶ６が設けられている。また、空気用配管Ｌ８が省略され、その代りに配管Ｌ１が中心管４の下部に接続されている。図４の中空糸膜モジュールの構成は次の通りである。【００７９】
容器１：内径２００ｍｍ、高さ１３００ｍｍ
中空糸：外径１．２５ｍｍのポリフッ化ビニルデン製ＵＦ膜、膜面積３０ｍ２
中心管４：容器１内に延在する長さ１０００ｍｍ、内径２０ｍｍ、外径２５ｍｍ
噴出孔４ａ：口径１０ｍｍ、１０個【００８０】
図５の通り、原水を中心管から供給する比較例３に比べて、原水を原水室下部から供給する実施例７の方が、膜間差圧の上昇が抑えられ、安定化した。これは、本発明の構造のほうが、モジュール内の原水の偏流が生じにくく、膜全体を万遍なく濾過に使用できたため、局所的に膜汚染が加速されることがなく、それによって生じる有効膜面積の低下が起こらなかったためである。【００８１】
本発明を特定の態様を用いて詳細に説明したが、本発明の意図と範囲を離れることなく様々な変更が可能であることは当業者に明らかである。
本出願は、２０１９年３月２７日付で出願された日本特許出願２０１９−０６０９２９に基づいており、その全体が引用により援用される。
【符号の説明】
【００８２】
１  容器
２  中空糸膜
３  ポッティング部
４  中心管
５  処理水出口
６  排水口
７  処理水室
８  上部排出口
９  処理水タンク
１０  原水室
【図１】
2020194820.tif 000004
【図２】
2020194820.tif 000005
【図３】
2020194820.tif 000006
【図４】
2020194820.tif 000007
【図５】
2020194820.tif 000008
【国際調査報告】
2020194820.tif 000009
2020194820.tif 000010
2020194820.tif 000011